(57)【要約】      （修正有）【課題】スライド式機器のスライドヒンジ器具を開示する。【解決手段】係止部１１８が形成されている連結部材１１０と案内部１２４が形成されている案内部材１２０とが、折畳み自在に連結して弾性部材１４０によって、連結部材と案内部材が開く方向に弾性力を受けるヒンジ具と、案内部に結合して摺動移動可能で一端にスイング作動部を形成しているスライド部材１６０と、案内部材にもとの場所で回動自在に設置されて、回転角度によって係止部に引っ掛かるか、又は係止が解除されるときの係止突起とスライド部材の移動位置によって、スイング作動部に入って回動して、係止突起が係止部に引っ掛かった状態が解除されるようにするか、又はスイング作動部から脱しながら逆回転して、係止突起が係止部に引っ掛かるようにする被スイング作動部１５３とを具備する。【選択図】図２
2009019767.tif 000002
【特許請求の範囲】
【請求項１】
係止部が形成されている連結部材と案内部が形成されている案内部材が、折畳み自在に連結し、弾性部材によって前記連結部材と前記案内部材が開く方向に弾性力を受けるヒンジ具と、
前記案内部に結合されて摺動移動可能で一端にスイング作動部が形成されているスライド部材と、
前記案内部材にもとの場所で回動自在に設置されて、回転角度によって前記係止部に引っ掛かるか、又は係止が解除されるときの係止突起と前記スライド部材の移動位置によって前記スイング作動部に入って回動し、前記係止突起が前記係止部に引っ掛かった状態が解除されるようにするか、又は前記スイング作動部から脱しながら逆回転して前記係止突起が前記係止部に引っ掛かるようにする被スイング作動部を具備するスイング部材を含むことを特徴とするスライドヒンジ機構。
【請求項２】
前記連結部材には第１通孔が形成されて、前記通孔の片側に前記係止部が形成されて、前記案内部材には前記スイング部材が通過して前記連結部材方へ向かうことができる第２通孔が形成されていて、
前記連結部材と前記案内部材とは、ヒンジ軸によって相互回動自在に連結されて、前記連結部材と前記案内部材は前記ヒンジ軸に設置されるヒンジスプリングによってお互いに開く方向に弾性力を受けることを特徴とする請求項１に記載のスライドヒンジ機構。
【請求項３】
前記スイング部材は、前記スライド部材の一端が前記案内部材に到逹することによって前記被スイング作動部が前記スイング作動部に入って回動することによって前記係止突起が前記係止部に引っ掛かった状態が解除されるような方法で、前記案内部材が前記連結部材に対して開くような開いた状態の角度にあって、前記開いた状態の角度で外力によって前記案内部材が前記連結部材に対して畳まれた後スライド部材が移動すると前記被スイング作動部が前記スイング作動部から脱しながら逆回転し、前記係止突起が前記係止部に引っ掛かる係止角度状態になるようにして、前記案内部材が前記連結部材に対して畳まれた状態にあるようにして、前記スライド部材は、前記ヒンジスプリングが作用させる力の影響を受けないで前記案内部に沿って擦動できるように構成されることを特徴とする請求項２に記載のスライドヒンジ機構。
【請求項４】
前記案内部はＴ溝の形態で形成し、前記スイング部材は前記案内部材に対して垂直である回転軸を中心にもとの場所で回動自在に設置されて、前記スイング作動部は前記案内部材に向けて突き出された前記スライド部材の側壁に形成されることを特徴とする請求項１乃至３のうちいずれか１つに記載のスライドヒンジ機構。
【請求項５】
前記スイング部材は前記案内部材の底と平行な方向に前記案内部の底に配置された回転軸を中心にもとの場所で回動自在に設置されて、前記スイング作動部は前記スライド部材の底面に形成されることを特徴とする請求項１乃至３のうちいずれか一つに記載のスライドヒンジ機構。
【請求項６】
第１胴体と前記第１胴体に水平に摺動移動可能で、一端に前記第１胴体に対して傾くように折ることができるようになされた第２胴体を具備する機器において、
前記第１胴体に連結して係止部が形成されている連結部材と、案内部が形成されている案内部材が折畳み自在に連結して、弾性部材によって前記連結部材と前記案内部材が開く方向に弾性力を受けるヒンジ具と、
前記第２胴体に連結して前記案内部に結合して摺動移動可能で一端にスイング作動部が形成されているスライド部材と、
前記案内部材にもとの場所で回動自在に設置されて回転角度によって前記係止部に引っ掛かるか、又は係止が解除されるときの係止突起と前記スライド部材の移動位置によって前記スイング作動部に入って回動し、前記係止突起が前記係止部に引っ掛かった状態が解除されるようにするか、又は前記スイング作動部から脱しながら逆回転して前記係止突起が前記係止部に引っ掛かるようにする被スイング作動部を具備するスイング部材とを含むことを特徴とするスライド式機器。
【請求項７】
前記連結部材と前記案内部材は、ヒンジ軸によって相互回動自在に連結されて、前記連結部材と前記案内部材は前記ヒンジ軸に設置されるヒンジスプリングによって、互いに開く方向に弾性力を受けることを特徴とする請求項６に記載のスライド式機器。
【請求項８】
前記スイング部材は前記スライド部材の一端が前記案内部材に到逹することによって前記被スイング作動部が前記スイング作動部に入って回動することによって前記係止突起が前記係止部に引っ掛かった状態が解除されるような方法で、前記案内部材が前記連結部材に対して開かれるような開いた状態の角度にあって、前記開いた状態の角度で外力によって前記案内部材が前記連結部材に対して畳まれた後スライド部材が移動すると前記被スイング作動部が前記スイング作動部から脱しながら逆回転し、前記係止突起が前記係止部に引っ掛かる係止角度状態になるようにして、前記案内部材が前記連結部材に対して畳まれた状態になるような方法で、前記スライド部材が、前記ヒンジスプリングが作用させる力の影響を受けずに前記案内部に沿って擦動できるように構成されることを特徴とする請求項７に記載のスライド式機器。
【請求項９】
前記スライド部材が、前記第２胴体に一体化されていることを特徴とする請求項６乃至８のうちいずれか１つに記載のスライド式機器。
【請求項１０】
前記案内部はＴ溝の形態で形成されて、前記スイング部材は前記案内部材に対して垂直である回転軸を中心にもとの場所で回動自在に設置されて、前記スイング作動部は前記案内部材に向けて突き出した前記スライド部材の側壁に形成されることを特徴とする請求項６乃至８のうちいずれか１つに記載のスライド式機器。
【請求項１１】
前記スイング部材は、前記案内部材と平行な方向に配置された回転軸を中心にもとの場所で回動自在に設置されて、前記スイング作動部は前記スライド部材の底面に形成されることを特徴とする請求項６乃至８のうちいずれか１つに記載のスライド式機器。
【請求項１２】
前記案内部材と前記第２胴体との間には、前記スライド部材の移動位置によって前記第１胴体を第１方向又は第２方向に押すためのトーションスプリングが設置されることを特徴とする請求項６乃至８のうちいずれか１つに記載のスライド式機器。
【請求項１３】
前記ヒンジ具とスライド部材及び前記スイング部材は、一対が間隔を置いて設置されることを特徴とする請求項６乃至８のうちいずれか１つに記載のスライド式機器。
【請求項１４】
係止部とヒンジ部が形成されている胴体と、
案内部を具備して前記ヒンジ部に回動自在に設置されて、前記胴体に折畳み自在に連結して、弾性部材によって前記胴体に対して開く方向に弾性力を受ける案内部材と、
前記案内部に結合して摺動移動可能で一端にスイング作動部が形成されているスライド部材と、
前記案内部材にもとの場所で回動自在に設置されて回転角度によって前記係止部に引っ掛かるか、又は係止が解除されるときの係止突起と前記スライド部材の移動位置によって前記スイング作動部に入って回動して前記係止突起が前記係止部に引っ掛かった状態が解除されるようにするか、又は前記スイング作動部から脱しながら逆回転して前記係止突起が前記係止部に引っ掛かるようにする被スイング作動部を具備するスイング部材を含むことを特徴とするスライドヒンジ機構。
【発明の詳細な説明】
【技術分野】
【０００１】
本発明は、スライドヒンジ機構及びこれを利用したスライド式機器に関するものであり、特に第１胴体と、該第１胴体で摺動移動後に第１胴体に対して所定角度折られて傾立できる第２胴体を具備する携帯端末機に適用されるスライドヒンジ機構及びこれを利用したスライド式携帯端末機などのスライド式機器に関するものである。
【０００２】
一般的に、“携帯端末機”とは、ＰＤＡ、携帯電話機、電子計算機、携帯ゲーム機、ノートブック、電子手帳など個人が携帯しながら通信、ゲーム、インターネット、ＴＶ視聴、計算などができる個人携帯端末機を言う。
【０００３】
携帯端末機は胴体を開閉する作動方式によって、大きくは、スライド式とフォルダ式がある。このうち本発明はスライド式と係わるものである。
【背景技術】
【０００４】
一般に、スライド式開閉方式を採用する携帯端末機は、ボタンが設置された第１胴体の上に、ディスプレイが設置された第２胴体を相互に平行に接した状態で摺動させるようになっている。このような携帯端末機で第２胴体を第１胴体上で平行に摺動させた後、スライドした胴体が所定角度で傾立できるようにするためには、第１胴体と第２胴体の回転のための連結部品にトーションスプリングなどを設置して第１胴体に回転力を作用させなければならない。
【０００５】
このような構造のスライド式携帯端末機では、第２胴体が第１胴体上で第１胴体と平行に移動されるうちにも第２胴体と第２胴体の移動を案内する部分の間にヒンジスプリングなどによる回転トルク(torque)が作用して接触部相互間で相互に引掻きあう現象が生ずるか、又は大きい摩擦力が生じて、これによってスライド部材の摺動移動が円滑ではなくなると考えられている。
【発明の開示】
【発明が解決しようとする課題】
【０００６】
本発明の目的は、スライド部材が摺動移動時にスライド部材とその案内部材との間に回転トルクにより相互に引掻きあう現象や大きい摩擦力が発生することを予防し、スライド部材の摺動動作を円滑にするようなスライドヒンジ器具を提供することである。
【０００７】
本発明の他の目的は、第２胴体が第１胴体に沿って摺動移動時にスライド部材とその案内部材との間に回転トルクにより相互に引掻きあう現象や大きい摩擦力が発生することを予防して、スライド部材の摺動動作を円滑にするスライド式機器を提供することである。
【課題を解決するための手段】
【０００８】
本発明によるスライドヒンジ器具は、係止部が形成されている連結部材と案内部が形成されている案内部材が折畳み自在に連結し、弾性部材によって前記連結部材と前記案内部材とが開く方向に弾性力を受けるヒンジ具と、前記案内部に結合して摺動移動可能で一端にスイング作動部が形成しているスライド部材と、前記案内部材にもとの場所で回動自在に設置されて回転角度によって前記係止部に引っ掛かるか、又は係止が解除されるときの係止突起と前記スライド部材との移動位置によって前記スイング作動部において回動して前記係止突起が前記係止部に引っ掛かった状態が解除されるようにするか、又は前記スイング作動部から脱しながら逆回転して前記係止突起が前記係止部に引っ掛かるようにする被スイング作動部を具備するスイング部材を含む構成を有する。
【０００９】
前記連結部材には、第１通孔が形成されて前記通孔の片側に前記係止部が形成されて、前記案内部材には前記スイング部材が貫通して前記連結部材側に向かうことができる第２通孔が形成されていて、前記連結部材と前記案内部材は、ヒンジ軸によって相互回動自在に連結されて、前記連結部材と前記案内部材とは前記ヒンジ軸に設置されるヒンジスプリングによってお互いに開かれる方向に弾性力を受けることが望ましい。
【００１０】
前記スイング部材は前記スライド部材の一端が前記案内部材に到逹することにより、前記被スイング作動部が前記スイング作動部に入って回動して前記係止突起が前記係止部に引っ掛かった状態が解除されるような方法により、前記案内部材が前記連結部材に対して開かれて、開いた状態の角度になる。前記開いた状態の角度で外力によって前記案内部材が前記連結部材に対して畳まれた後、スライド部材が移動すると前記被スイング作動部が前記スイング作動部から脱しながら逆回転して、前記係止突起が前記係止部に引っ掛かるような係止角度状態になって、前記案内部材が前記連結部材に対して畳まれた状態になるときに、前記スライド部材は前記ヒンジスプリングが作用させる力の影響を受けないで前記案内部に沿って擦動できるように構成されたものが良い。
【００１１】
前記案内部は、Ｔ溝の形態で形成されて、前記スイング部材は前記案内部材に対して垂直の回転軸を中心にもとの場所で回動自在に設置されていて、前記スイング作動部は前記案内部材に向けて突き出した前記スライド部材の側壁に形成されたものが望ましい。
【００１２】
場合によっては、前記スイング部材は前記案内部材の底と平行な方向に前記案内部の底に配置された回転軸を中心にもとの場所で回動自在に設置して、前記スイング作動部は前記スライド部材の底面に形成しても良い。
【００１３】
本発明によるスライド式機器は、第１胴体と、該第１胴体に水平に摺動移動可能で一端に前記第１胴体に対して傾くように折ることができる第２胴体とを具備する機器において、前記第１胴体に連結して係止部が形成されている連結部材と案内部が形成されている案内部材が折畳み自在に連結して、弾性部材により前記連結部材と前記案内部材が開く方向に弾性力を受けるヒンジ具と、前記第２胴体に連結されて前記案内部に結合されて摺動移動可能で一端にスイング作動部が形成されているスライド部材と、前記案内部材にもとの場所で回動自在に設置され、回転角度によって前記係止部に引っ掛かるか、又は係止が解除される係止突起と、前記スライド部材の移動位置によって前記スイング作動部に入って回動して前記係止突起が前記係止部に引っ掛かった状態が解除されるようにするか、又は前記スイング作動部から脱しながら逆回転して前記係止突起が前記係止部に引っ掛かるようにする被スイング作動部を具備するスイング部材を含む構成を有する。
【００１４】
前記連結部材と前記案内部材とは、ヒンジ軸によって相互回動自在に連結して、前記連結部材と前記案内部材は前記ヒンジ軸に設置されるヒンジスプリングによってお互いに開く方向に弾性力を受ける。
【００１５】
前記スイング部材は前記スライド部材の一端が前記案内部材に到逹することによって前記被スイング作動部が前記スイング作動部に入って回動することによって前記係止突起が前記係止部に引っ掛かった状態が解除されるようにして前記案内部材が前記連結部材に対して開くようにする開いた状態の角度にあって、前記開いた状態の角度で外力によって前記案内部材が前記連結部材に対して畳まれた後スライド部材が移動すると、前記被スイング作動部が前記スイング作動部から脱しながら逆回転して前記係止突起が前記係止部に引っ掛かる係止角度状態になるようにして、前記案内部材が前記連結部材に畳まれた状態にあるようにして、前記スライド部材が前記ヒンジスプリングが作用させる力の影響を受けないで前記案内部に沿って擦動できるように構成したものが望ましい。
【００１６】
前記スライド部材は前記第２胴体と一体で形成しても良い。
【００１７】
前記案内部をＴ溝の形態で形成して、前記スイング部材は前記案内部材に対して垂直の回転軸を中心にもとの場所で回動自在に設置して、前記スイング作動部は前記案内部材に向けて突き出した前記スライド部材の側壁に形成したものが望ましい。
【００１８】
場合によっては、前記スイング部材を前記案内部材と平行な方向に配置した回転軸を中心にもとの場所で回動自在に設置し、前記スイング作動部は前記スライド部材の底面に形成しても良い。
【００１９】
前記案内部材と前記第２胴体との間には、前記スライド部材の移動位置によって前記第１胴体を第１方向又は第２方向に押すためのトーションスプリングを設置したものが良い。
【００２０】
前記ヒンジ具とスライド部材及び前記スイング部材を、一対が間隔を置いて設置したものが望ましい。
【００２１】
本発明によるスライドヒンジ器具は、係止部とヒンジ部が形成されている胴体と、案内部を具備して前記ヒンジ部に回動自在に設置され、前記胴体に折畳み自在に連結して弾性部材によって前記胴体に対して開く方向に弾性力を受ける案内部材と、前記案内部に結合されて摺動移動可能で一端にスイング作動部が形成されているスライド部材と、被スイング作動部であって、前記案内部材にもとの場所で回動自在に設置されて、回転角度によって前記係止部に引っ掛かるか、又は係止が解除されるときの係止突起と前記スライド部材の移動位置によって前記スイング作動部に入って回動して前記係止突起が前記係止部に引っ掛かった状態が解除されるようにするか、又は前記スイング作動部から脱しながら逆回転して、前記係止突起が前記係止部に引っ掛かるようにする被スイング作動部を具備するスイング部材を含む構成を有することができる。
【発明の効果】
【００２２】
以上の説明で明らかなように本発明によるスライドヒンジ器具とこれを利用したスライド式機器は、スライド部材が案内部に沿って移動するときに係止突起がヒンジスプリングのトルクを吸収するから、案内部材とスライド部材との間にヒンジスプリングのトルクに起因する相互に引っ掻き合う現象や大きい摩擦力の発生が予防され、スライド部材又はスライド部材の摺動移動が円滑になる。
【００２３】
これによって本発明が適用されたスライド式機器では、摺動移動において作動感が優れ、寿命が長く、故障を予防する。
【００２４】
併せて、本発明によるスライドヒンジ器具とスライド式機器は、ＰＤＡ、携帯電話、ポータブルゲーム機、電子手帳などの品質向上を支援する。
【発明を実施するための最良の形態】
【００２５】
以下、添付された図面を参照して本発明の望ましい実施例を詳細に説明する。
【００２６】
図１は、本発明によるスライドヒンジ器具の斜視図であり、図２は図１のスライドヒンジ器具の分解斜視図であり、図３は底面から見て示した図１のスライドヒンジ器具の分解斜視図である。
【００２７】
図１乃至図３には、本発明によるスライドヒンジ機構１００が図示されている。図示すたように、本発明によるスライドヒンジ機構１００は、連結部材１１０を具備する。この連結部材１１０はＰＤＡや携帯電話機などのスライド式機器の第１胴体に連結されるものであり、多数の締結孔１１２を具備する。一端にヒンジ軸１３０を結合することができる第１ヒンジ孔１１４が両側に間隔を置いて形成されていて、その間の中間部の上面にヒンジスプリング１４０の一端がかかることができるように溝１１６が形成されている。そして、連結部材１１０の他端付近に第１通孔１１７と係止部１１８とがそれぞれ形成されている。第１通孔１１７は後述するスイング部材１５０の一部が通過できるようにし、また一定範囲内での回動を許容するためのものであり、係止部１１８は回動したスイング部材１５０の係止突起１５１が引っ掛かるようにして、連結部材１１０と案内部材１２０とが畳まれた状態を維持するためのものである。
【００２８】
本発明によるスライドヒンジ機構１００は、案内部材１２０を具備する。この案内部材１２０には、ヒンジ軸１３０を挿入できる第２ヒンジ孔１２１が両側に間隔を置いて形成されている。この案内部材１２０は、ヒンジ軸１３０を通じて連結部材１１０と折畳み自在に連結するので、第２ヒンジ孔１２１の間の中央付近底面にヒンジスプリング１４０の他端がかかる溝１２２を具備する。このような案内部材１２０には案内部１２４が形成されている。この案内部１２４は、Ｔ溝の形態で形成されている。この案内部１２４の形状を、多様に変更できることは容易に理解でき、場合によっては案内部１２４に案内される部分とその形状を両方とも変更して構成することもできる。このような案内部材１２０の第２ヒンジ孔１２１の反対側の他端付近に第２通孔１２６が形成されている。前記第２通孔１２６は後から説明されるスイング部材１５０の一部が通過できるようにし、またスイング部材１５０が一定範囲内での回動を許容するためのものである。このような案内部材１２０の片側の端には、機器の胴体に動力を提供するためのトーションスプリングの一端を連結するためのトーションスプリング連結具１２８が形成されている。
【００２９】
本発明によるスライドヒンジ機構１００は、ヒンジ軸１３０とヒンジスプリング１４０とを具備する。ヒンジ軸１３０は第１ヒンジ孔１１４と第２ヒンジ孔１２１に挿入されて連結部材１１０と案内部材１２０とがヒンジ軸１３０を中心に折りたたむか、又は開くことができるようにする。
【００３０】
ヒンジスプリング１４０は、ヒンジ軸１３０に結合されて一端は連結部材１１０の溝１１６にかかって、他端は案内部材１２０の溝１２２にかかって連結部材１１０と案内部材１２０が開かれる方向にトルクを作用させる。
【００３１】
上で説明した連結部材１１０、案内部材１２０及びヒンジ軸１３０は、結合された状態でヒンジ具の役割をする。
【００３２】
本発明によるスライドヒンジ機構１００は、スイング部材１５０を具備する。このスイング部材１５０は案内部材１２０に設置されるものであり、案内部材１２０の表面に対して垂直である回転軸を中心にもとの場所で回動可能であり、第２通孔１２６を通過して、第１通孔１１７に挿入されて末端が片側に折れて回転角度によって係止部１１８に引っ掛かるか、又は係止が解除されるときの係止突起１５１とスライド部材１６０の移動位置によってスイング作動部１６２にかかって回動して係止突起１５１が係止部１１８に引っ掛かった状態が解除されるようにするか、又はスイング作動部１６２から脱しながら逆回転して係止突起１５１が係止部１１８に引っ掛かるようにする被スイング作動部１５３を具備する。
【００３３】
本発明によるスライドヒンジ機構１００は、スライド部材１６０を具備する。このスライド部材１６０は案内部材１２０の案内部１２４に結合して摺動移動することで、スライド式機器の第２胴体に連結する部分である。このスライド部材１６０は底面の両側端に沿って側壁１６４を形成して、各側壁１６４で外側に突起を構成して、案内部材１２０の案内部１２４に結合された時に案内部材１２０の底面との間に隙間を形成することが望ましい。図示するようにスライド部材１６０の片側の側壁にはスイング作動部１６２が形成されている。このスイング作動部１６２はスイング部材１５０の被スイング作動部１５３がかかってスイング部材１５０がスイング作動部１６２と合う位置でスイング部材１５０が回動できるようにする役割をする。
【００３４】
上のような構成要素らが図１に示すように結合された状態で、スイング部材１５０はスライド部材１６０の一端が案内部材１２０に到逹することで被スイング作動部１５３がスイング作動部１６２にかかって回動し、従って、係止突起１５１が係止部１１８に引っ掛かった状態が解除され、案内部材１２０が連結部材１１０に対して開かれた、開いた状態の角度となる。開いた状態の角度において、外力によって案内部材１２０が連結部材１１０に対して畳まれた後、スライド部材１６０が移動すると、被スイング作動部１５３がスイング作動部１６２から脱しながら逆回転して係止突起１５１が係止部１１８に引っ掛かる係止状態の角度になり、案内部材１２０が連結部材１１０に対して畳まれた状態にあるときにヒンジスプリング１４０が作用させるトルクの影響を受けないで、スライド部材１６０が案内部１２４に沿って擦動できるようにする。
【００３５】
ここで、スイング作動部１６２は側面に突き出される突起１６２aと溝１６２bからなり、スイング部材１５０が時計方向及び反時計方向にそれぞれ回転できるようにしているが、場合によってはスプリングを追加してスイング部材１５０に一方向に力を加えるときに、被スイング作動部１５３を短くして、突起１６２aだけでスイング作動部１６２を形成することができる。
【００３６】
図４は、図１の内部結合状態を示す部分破断斜視図であり、図５はスライド部材が開放位置に移動した状態の部分破断斜視図であり、図６は図５の状態で案内部材とスライド部材とが開いた状態の部分破断斜視図であり、図７は図４の背面図であり、図８は図５の背面図であり、図９は図６のスライドヒンジ器具を立てた状態での側面図である。
【００３７】
図４及び図７は、畳まれた状態を示したものであり、スライド部材１６０の一端が案内部材１２０に結合されている。この状態でスイング部材１５０の被スイング作動部１５３はスライド部材１６０の側壁１６４に接触して片側に回動し、これによってスイング部材１５０の係止突起１５１は連結部材１１０の係止部１１８に引っ掛かった状態になる。
【００３８】
スライド部材１６０を移動させて図５及び図８に示すようにスライド部材１６０の他端が案内部材１２０に到逹すると、スイング部材１５０の被スイング作動部１５３がスイング作動部１６２にかかって回動するようになる。これによってスイング部材１５０の係止突起１５１は連結部材１１０の係止部１１８で離脱する方向に回動する。
【００３９】
スイング部材１５０の被スイング作動部１５３がスイング作動部１６２にかかって時計方向に完全に回動すれば、スイング部材１５０の係止突起１５１は連結部材１１０の係止部１１８で完全に離脱し、これによって外力がない場合にヒンジスプリング１４０の力によって連結部材１１０と案内部材１２０は、図６及び図９に示すように開放され、スライド部材１６０も案内部材１２０と共に連結部材１１０に対して開放される。
【００４０】
図１０は、本発明によるスライド式機器の分解斜視図であり、図１１は図１０を底面から見て示した分解斜視図である。
【００４１】
図１０及び図１１に示すように、本発明によるスライド式機器２００は、第１胴体２１０を具備する。前記第１胴体２１０は、ＰＤＡや携帯電話などスライド式機器の胴体部に該当し、入力キー及びボタンが主に設置される部分である。前記第１胴体２１０には、連結部材１１０の連結のための連結溝２１２が間隔を置いて形成されている。連結部材１１０はこの連結溝２１２にスクリュー２１４などを通じて結合される。
【００４２】
本発明によるスライド式機器２００は、第２胴体２２０を具備する。第２胴体２２０は主にＰＤＡや携帯電話などスライド式機器のディスプレイが設置される部分であり、その底面にスライド部材１６０の固定のための装着溝２２２が間隔を置いて各々形成され、その間にトーションスプリング２３０の設置のための凹部２２４が設けられている。スライド部材１６０はスクリュー１６６などの締結部材を通じて、この装着溝２２２に装着される。
【００４３】
スライド部材１６０は、第２胴体２２０に結合した状態で案内部材１２０の案内部１２４に摺動移動自在に組立られる。場合によっては、スライド部材１６０を第２胴体２２０の底面に一体化しても良い。
【００４４】
望ましくは、本発明によるスライド式機器２００はトーションスプリング２３０を具備する。このトーションスプリング２３０は、スライド部材１６０の移動位置によって前記第２胴体２２０を第１方向又は第２方向に押すためのものである。このトーションスプリング２３０の一端は案内部材１２０の端に形成したトーションスプリング連結具１２８に回動自在に連結し、他端は第２胴体２２０の底面に、望ましくは以下に説明する支持板２４０を通じて回動自在に連結する。支持板２４０を凹部２２４の底面に配置してトーションスプリング２３０の他端を支持すると共にトーションスプリング２３０の中間部位が下方に突出しないように底面を支持する役割もする。
【００４５】
この実施例ではスライドヒンジ器具を一対設置することを例示したが、場合によってスライドヒンジ器具は、１個又は３個以上設置しても良い。
【００４６】
図１２は、本発明によるスライド式機器の閉じた状態を示す図であり、図１３は第２胴体が移動した状態を示す図であり、図１４は第２胴体が傾立した状態を示す図である。
【００４７】
図１２に示すように、第２胴体２２０が第１胴体２１０に対して閉じた状態では、スライド部材１６０の上端が案内部材１２０に結合し、案内部材１２０のトーションスプリング連結具１２８に連結したトーションスプリング２３０の一端が上側に向くように配置されている。
【００４８】
図１２の状態で第２胴体２２０を上方へ押し上げれば、第２胴体２２０に固定されたスライド部材１６０が案内部１２４の案内を受けて上側に移動し、これによって第２胴体２２０も上方に移動して、図１３に示すようになる。図１２の状態で、図１３まで移動する過程中には先述したスイング部材１５０の係止突起１５１が案内部材１２０の係止部１１８に引っ掛かっているからスライド部材１６０は、ヒンジスプリング１４０のトルクに影響を受けないで円滑に摺動移動する。
【００４９】
図１２の状態で、トーションスプリング２３０は、第２胴体２２０に下方へ力を作用させるから第２胴体２２０は下方に力を受けながら、遊びなしに最大限下方に移動された状態になる。
【００５０】
第２胴体２２０を中間程度まで押し上げれば、続いて、トーションスプリング２３０は、その力の作用方向を変えて第２胴体２２０を押し上げる方に力を作用させる。
【００５１】
第２胴体２２０が最大に上昇した時、先述したスイング部材１５０の被スイング作動部１５３がスイング作動部１６２にかかって、スイング部材１５０が回動しながら係止突起１５１が係止部１１８から離脱して、これによってヒンジスプリング１４０のトルクによって案内部材１２０が連結部材１１０に対して開かれて、これによってスライド部材１６０と第２胴体２２０も図１４に示すように開かれて、第２胴体２２０が第１胴体２１０に対して傾くようになる。
【００５２】
図１４の状態での使用中に再び閉じる場合には、第２胴体２２０を押して第１胴体２１０と平行に横たえた後第２胴体２２０を下方へ少し引っ張ると、先述したスイング部材１５０の被スイング作動部１５３がスイング作動部１１８から脱しながら初めとは反対方向に回動して、これによって係止突起１５１が係止部１１８に引っ掛かるようになる。係止突起１５１が係止部１１８に引っ掛かった後には、ヒンジスプリング１４０のトルクは係止突起１５１で吸収されるので、スライド部材１６０はヒンジスプリング１４０のトルクの影響を受けずに円滑に案内部１２４に従って摺動移動するようになる。
【００５３】
図１５は、スイング部材とスイング作動部及び被スイング作動部の他の例を示した部分断面図である。
【００５４】
図１５に示すように場合によってスイング作動部１６２をスライド部材１６０の底部１６３に形成して、スイング部材１５０を案内部材１２０の面と平行に案内部材１２０の底１６３に設置した回転軸を中心に回動自在に設置して、係止突起１５１aが連結部材１１０の係止部１１８aに引っ掛かるか、又は離脱するようにしても良い。他の事項は先述と同様である。
【００５５】
図１６は、本発明によるスライドヒンジ器具の他の実施例を示した分離斜視図である
【００５６】
場合によっては、連結部材１１０と案内部材１２０に第１、第２通孔を形成しないで、スイング部材１５０を案内部材１２０の末端付近に設置して、連結部材１１０の末端に係止部１１８を形成して、スイング部材１５０の回動角度によって係止突起１５１が係止部１１８に引っ掛かって畳まれた状態にあるか、又は離脱して案内部材１２０が連結部材１１０に対して開かれるようにしても良い。
【００５７】
また場合によっては、係止部１１８を案内部材１２０の上面の方に延ばして形成することができる。このようにする場合係止突起１５１の位置を図１６で示すように下方に長く延ばした位置に形成しなくても良い。残りの事項は図１乃至図９を通じて先述したところのようである。
【００５８】
図１７は、本発明の更に他の実施例を示したスライド式機器の分離斜視図である。場合によっては、前記の実施例で説明した連結部材なしにスライド式機器２００の第１胴体２１０などの胴体にヒンジ部２１５を一体で形成して、その片側に係止部２１６を形成して、本発明を実装することもできる。この場合、ヒンジ軸１３０とヒンジスプリング１４０を利用して、案内部材１２０をヒンジ部２１５に回動自在に設置しても良い。この他の事項は先述と同様である。
【産業上の利用可能性】
【００５９】
以上から明らかなように、本発明によるスライドヒンジ器具とこれを利用したスライド式機器は、スライド部材が案内部に沿って移動するときには係止突起がヒンジスプリングのトルクを吸収するから、ヒンジスプリングのトルクを原因とした、案内部材とスライド部材との間で互いに引掻きあう現象や大きい摩擦力が生じる事がなく、スライド部材又はスライド部材の摺動移動が円滑にすることができる。これによって本発明が適用されたスライド式機器は、摺動移動において、作動感に優れ、耐用年数が長く、故障が発生しにくくなる。併せて、本発明によるスライドヒンジ器具とスライド式機器は、ＰＤＡ、携帯電話、ポータブルゲーム機、電子手帳などの品質向上を支援する。
【図面の簡単な説明】
【００６０】
【図１】本発明によるスライドヒンジ器具の斜視図である。
【図２】図１のスライドヒンジ器具の分解斜視図である。
【図３】底面から見て示した図１のスライドヒンジ器具の分解斜視図である。
【図４】図１の内部結合状態を可視化する部分破断斜視図である。
【図５】スライド部材が開放位置に移動した状態の部分破断斜視図である。
【図６】図５の状態で案内部材とスライド部材が開かれた状態の部分破断斜視図である。
【図７】図４の背面図である。
【図８】図５の背面図である。
【図９】図６のスライドヒンジ器具を止めた状態での側面図である。
【図１０】本発明によるスライド式機器の分解斜視図である。
【図１１】図１０を底面から見て示した分解斜視図である。
【図１２】本発明によるスライド式機器の閉じた状態の例示図である。
【図１３】第２胴体を移動した状態の例示図である。
【図１４】第２胴体を傾立した状態の例示図である。
【図１５】スイング部材とスイング作動部及び被スイング作動部の他の例を示した部分断面図である。
【図１６】本発明によるスライドヒンジ器具の他の実施例を示した分離斜視図である。
【図１７】本発明のまた他の実施例を示したスライド式機器の分離斜視図である。
【符号の説明】
【００６１】
１００  スライドヒンジ機構
１１０  連結部材
１１８、２１６  係止部
１２０  案内部材
１２４  案内部
１３０  ヒンジ軸
１４０  ヒンジスプリング
１５０  スイング部材
１５１  係止突起
１５３  被スイング作動部
１６０  スライド部材
１６２  スイング作動部
２００  スライド式機器
２１０  第１胴体
２１５  ヒンジ部
２２０  第２胴体
２３０  トーションスプリング
【図１】
2009019767.tif 000003
【図２】
2009019767.tif 000004
【図３】
2009019767.tif 000005
【図４】
2009019767.tif 000006
【図５】
2009019767.tif 000007
【図６】
2009019767.tif 000008
【図７】
2009019767.tif 000009
【図８】
2009019767.tif 000010
【図９】
2009019767.tif 000011
【図１０】
2009019767.tif 000012
【図１１】
2009019767.tif 000013
【図１２】
2009019767.tif 000014
【図１３】
2009019767.tif 000015
【図１４】
2009019767.tif 000016
【図１５】
2009019767.tif 000017
【図１６】
2009019767.tif 000018
【図１７】
2009019767.tif 000019